【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
脂肪酸メチルエステルおよび極性非塩素系極圧添加剤を含む組成物であって、該組成物が、以下
（ａ）作動強度のストレートオイル、
（ｂ）作動強度の可溶性オイルに希釈可能な可溶性オイル濃縮物、または
（ｃ）希釈剤を用いて作動強度に希釈される可溶性オイル、
のいずれかであり、そして該成分が、適合性であり、そして、作動強度にある場合、該組成物が、効果的に金属部分を潤滑し、そして少なくとも約４０の四球負荷摩耗指数、少なくとも４００ｋｇの四球焼付き点、および／または少なくとも約４０００ｌｂのＦａｌｅｘ失敗負荷を与えるように選択される、組成物。
【請求項２】
請求項１に記載の組成物であって、該組成物が、鉱油も添加水も含まない、組成物。
【請求項３】
請求項１に記載の組成物であって、該組成物が、作動強度において、少なくとも約１００の四球負荷摩耗指数、および少なくとも約５００ｋｇの四球焼付き点を有する、組成物。
【請求項４】
請求項１に記載の組成物であって、該組成物が、作動強度において、少なくとも約１３０の四球負荷摩耗指数、および少なくとも約６２０ｋｇの四球焼付き点を提供する、組成物。
【請求項５】
請求項１に記載の組成物であって、該組成物が、作動強度において、少なくとも約８００ｋｇの四球ＥＰ焼付き点を与える、組成物。
【請求項６】
請求項１に記載の組成物であって、該組成物が、作動強度において、少なくとも約４５００ｌｂのＦａｌｅｘ  ＥＰ（ＡＳＴＭ  Ｄ３２３３）失敗負荷を有する、組成物。
【請求項７】
請求項１に記載の組成物であって、前記脂肪酸メチルエステルが、植物油または動物脂肪のトリグリセリド由来のＣ５〜Ｃ２２脂肪酸メチルエステルである、組成物。
【請求項８】
請求項７に記載の組成物であって、前記脂肪酸メチルエステルが、大豆油、豚脂、獣脂、ココナッツ油、菜種油（カノーラ油）、ピーナッツ油、ハマナ油、ヒマワリ油および組み合わせのメチルエステルからなる群より選択されるオイルのメチルエステルである、組成物。
【請求項９】
請求項１に記載の組成物であって、前記脂肪酸メチルエステルが、大豆油のメチルエステルである、組成物。
【請求項１０】
請求項１に記載の組成物であって、前記脂肪酸メチルエステルが、パルミチン酸、ステアリン酸、オレイン酸、リノール酸およびリノレン酸のメチルエステルである、組成物。
【請求項１１】
請求項１に記載の組成物であって、前記トリグリセリドのメチルエステルが、ＳｏｙＧｏｌｄ６０００またはＳｏｙＧｏｌｄ１０００である、組成物。
【請求項１２】
請求項１に記載の組成物であって、前記極性非塩素系極圧添加剤が、硫黄ベースの誘導体またはリンベースの誘導体である、組成物。
【請求項１３】
請求項１に記載の組成物であって、前記極性非塩素系極圧添加剤が、リン酸アミン、リン酸のアルキルアミン塩またはアルカノールアミン塩、リン酸ブチルアミン、リン酸長鎖アルキルアミン、オルガノホスフィト、リン酸プロパノールアミン、リン酸炭化水素アミン、リン酸トリエタノールアミン、リン酸モノエタノールアミン、リン酸ジブチルアミン、リン酸ジメチルアミン、またはリン酸モノイソプロパノールアミン、チオエステル、リン含有酸のアミド、硫化脂肪エステル、硫化炭化水素、硫化トリグリセリド、アルキルポリスルフィドおよび組み合わせからなる群より選択される、組成物。
【請求項１４】
請求項１に記載の組成物であって、前記極性非塩素系極圧添加剤が、Ｄｅｓｉｌｕｂｅ
７７、ＲｈｅｉｎＣｈｅｍｉｅ  ＲＣ  ８０００およびＲｈｅｉｎＣｈｅｍｉｅ  ＲＣ２５４０、ＲｈｅｉｎＣｈｅｍｉｅ  ２５１５、ＲｈｅｉｎＣｈｅｍｉｅ  ２５２６、Ｌｕｂｒｉｚｏｌ  ５３４０Ｌ、Ｎｏｎｙｌ  Ｐｏｌｙｓｕｌｆｉｄｅ、Ｖａｎｌｕｂｅ  ６７２、Ｒｈｏｄｉａ  Ｌｕｂｒｈｏｐｈｏｓ  ＬＬ−５５０、またはＥＩＣＯ  ６７０からなる群より選択される、組成物。
【請求項１５】
請求項１に記載の組成物であって、該組成物が、シックナーをさらに含む、組成物。
【請求項１６】
請求項１５に記載の組成物であって、４０℃における粘度が、少なくとも約３０ｃＳｔである、組成物。
【請求項１７】
請求項１５に記載の組成物であって、前記シックナーが、吹込み種子油、吹込み脂肪、トリグリセリド由来のテレマー、高分子量複合エステル、ポリマーエステル、吹込みひまし油、ポリアルキルメタクリレート、ポリメタクリレートコポリマースチレンブタジエンゴム、エステル−スチレンコポリマー、ポリイソブチレン、エチレン−プロピレンコポリマーおよび組み合わせからなる群より選択される、組成物。
【請求項１８】
請求項１５に記載の組成物であって、前記シックナーが、Ｇ．Ｐｆａｕ  Ｂｌｏｗｎ  Ｃａｓｔｏｒ  Ｏｉｌ  Ｚ８、Ｉｎｏｌｅｘ  ＧＣ５０００、Ｒｏｈ−Ｍａｘ  Ｖｉｓｃｏｐｌｅｘ  ８−７０２、Ｌｕｂｒｉｚｏｌ  ７７８５またはＬｕｂｒｉｚｏｌ  ３７０２である、組成物。
【請求項１９】
請求項１５に記載の組成物であって、前記シックナーによって、該組成物が、４０℃における少なくとも約１００ｃＳｔの動粘度によって表される滞留時間、少なくとも約１２０ｋｇの四球初期焼き付き負荷によって測定されるフィルム強度、少なくとも約１３０の四球負荷摩耗指数によって測定される負荷保持能力、およびトリグリセリドのメチルエステルと極性非塩素系極圧添加剤との間の適合性を有し得る、組成物。
【請求項２０】
請求項１に記載の組成物であって、該組成物が、さらに、安定化カップリング剤および／または界面活性剤を含む、組成物。
【請求項２１】
請求項２０に記載の組成物であって、前記カップリング剤および／または界面活性剤が、プロピレングリコール、ポリエチレングリコールエステル、オレイン酸グリセリル、モノオレイン酸グリセリル、オレイン酸ソルビタン、脂肪アルカノールアミドおよび組み合わせからなる群より選択される、組成物。
【請求項２２】
請求項１に記載の組成物であって、該組成物が、さらに、酸化防止剤および／または分散剤を含む、組成物。
【請求項２３】
請求項２２に記載の組成物であって、前記酸化防止剤および／または分散剤が、ヒンダードフェノール、芳香族アミン、スクシンイミドおよび組み合わせからなる群より選択される、組成物。
【請求項２４】
請求項２２に記載の組成物であって、前記酸化防止剤および／または分散剤が、Ｌｕｂｒｉｚｏｌ  ＣｏｒｐｏｒａｔｉｏｎによるＬｕｂｒｉｚｏｌ  ７６５２、Ｃｉｂａ  ＣｏｒｐｏｒａｔｉｏｎによるＩｒｇａｎｏｘ  Ｌ１０９またはＩｒｇａｎｏｘ  Ｌ５７、あるいはＥｔｈｙｌ  ＣｏｒｐｏｒａｔｉｏｎによるＨｉｔｅｃ  ６４６からなる群より選択される、組成物。
【請求項２５】
請求項１に記載の組成物であって、約２０％〜約９５％の大豆メチル、約３％〜約２５％の極性非塩素系極圧添加剤、約５０％までのシックナー、約１０％までのカップリング剤および／または界面活性剤、ならびに約２５％の酸化防止剤および／または分散剤を含む、組成物。
【請求項２６】
請求項１に記載の組成物であって、約４５％〜約９０％のメチルエステル、約５％〜約１５％の極性非塩素系極圧添加剤、および約５％〜約７．５％のモノオレイン酸グリセリルを含む、組成物。
【請求項２７】
請求項１に記載の組成物であって、前記脂肪酸メチルエステル  対  前記極性非塩素系極圧添加剤の比が、約５０：１〜約１：２である、組成物。
【請求項２８】
潤滑させるために、請求項１に記載の組成物を使用する方法であって、該方法が、金属作動の間、該組成物を金属に適用する工程を包含する、方法。
【請求項２９】
請求項１に記載の組成物であって、該組成物が、可溶性オイル濃縮物である、組成物。
【請求項３０】
請求項２９に記載の組成物であって、約５％〜約９０％の脂肪酸メチルエステル、約１％〜約５０％の極性非塩素系極圧添加剤、および約１０％までの水を含む、組成物。
【請求項３１】
請求項２９に記載の組成物であって、約１０％〜約９０％の脂肪酸メチルエステル、約５％〜約５０％の極性非塩素系極圧添加剤、約１０％〜約５０％の乳化剤、約１０％までの酸化防止剤、約１％〜約１０％の殺生物剤、約５％〜約４０％の腐食防止剤、約１０％までのカップリング剤、約１０％までの消泡剤、約１０％までの水および約９０％までの鉱油を含む、組成物。
【請求項３２】
請求項２９に記載の組成物であって、前記メチルエステルが、大豆メチルである、組成物。
【請求項３３】
請求項２９に記載の組成物であって、前記メチルエステル  対  前記極性非塩素系極圧添加剤の比が、約１：２〜約５０：１である、組成物。
【請求項３４】
請求項２９に記載の組成物であって、前記脂肪酸メチルエステル  対  前記極性非塩素系極圧添加剤の比が、約２：１〜約３０：１である、組成物。
【請求項３５】
請求項２９に記載の組成物であって、約９０％までの鉱油をさらに含む、組成物。
【請求項３６】
請求項３５に記載の組成物であって、約５％〜約９０％のメチルエステル、約２０％〜約３５％の極性非塩素系極圧添加剤、および約５％〜約９０％の鉱油を含む、組成物。
【請求項３７】
請求項３５に記載の組成物であって、約５％〜約９０％のトリグリセリドまたはトリグリセリドのメチルエステル、約１％〜約２０％の極性非塩素系極圧添加剤、約１０％〜約５０％の乳化剤、約１０％までの酸化防止剤、約１％〜約１０％の殺生物剤、約５％〜約４０％の腐食防止剤、約１０％までのカップリング剤、約１０％までの消泡剤、約１０％までの水および約９０％までの鉱油を含む、組成物。
【請求項３８】
請求項３５に記載の組成物であって、約１：２：６の比の、脂肪酸メチルエステル、極性非塩素系極圧添加剤および鉱油の混合物を含む、組成物。
【請求項３９】
請求項３５に記載の組成物であって、約９：１：０の比の、メチルエステル、極性非塩素系極圧添加剤および鉱油の混合物を含む、組成物。
【請求項４０】
請求項２９に記載の組成物であって、細菌形成および真菌形成を妨げるのに有効な抗細菌化合物および／または抗真菌化合物をさらに含む、組成物。
【請求項４１】
請求項１に記載の組成物であって、約５％〜約９０％のメチルエステル、約３％〜約２０％の極性非塩素系極圧添加剤、約１０％の水、約１０％のカップリング剤、約５％〜約４０％の腐食防止剤、約１０％までの殺生物剤、約１０％〜約５０％の乳化剤、約６％までの酸化防止剤、および約５％までの消泡剤を含む、組成物。
【請求項４２】
請求項１に記載の作動強度可溶性オイル組成物を作製する方法であって、脂肪酸メチルエステルと非塩素極圧添加剤を組み合わせて可溶性オイル濃縮物を形成する工程および水を用いて該濃縮物を作動強度に希釈する工程を包含する、方法。
【請求項４３】
請求項４２に記載の方法であって、安定性を増加するカップリング剤を添加する工程をさらに包含する、方法。
【請求項４４】
請求項４２に記載の方法であって、腐食防止剤を添加する工程をさらに包含する、方法。
【請求項４５】
請求項４２に記載の方法であって、乳化剤をさらに含む、方法。
【請求項４６】
請求項４２に記載の方法であって、細菌形成および真菌形成を低減するのに有効な抗細菌化合物および／または抗真菌化合物をさらに含む、方法。
【請求項４７】
請求項１に記載の作動強度可溶性オイルであって、少なくとも約５０％の希釈剤を含む、可溶性オイル。
【請求項４８】
請求項１に記載の可溶性オイルであって、少なくとも約７５％の希釈剤を含む、可溶性オイル。
【請求項４９】
請求項１に記載の可溶性オイルであって、少なくとも約９５％の希釈剤を含む、可溶性オイル。
【請求項５０】
請求項４７に記載の可溶性オイル組成物であって、前記希釈剤が水である、組成物。
【請求項５１】
請求項４７に記載の組成物であって、約５％〜約５０％のメチルエステル、および約３％〜約２０％の極性非塩素系極圧添加剤を含み、メチルエステル  対  極性非塩素系極圧添加剤の比が、約１：１〜約５０：１の範囲である、組成物。
【請求項５２】
請求項４７に記載の組成物であって、安定性を増加するためのカップリング剤、腐食防止剤、乳化剤、抗細菌化合物、抗真菌化合物、および組み合わせからなる群より選択される可溶性オイルコンディショナーをさらに含む、組成物。
【請求項５３】
請求項４７に記載の組成物であって、該組成物が、約５％〜約５０％のメチルエステル、約３％〜約２０％の極性非塩素系極圧添加剤、約１０％〜約５０％の乳化剤、約１０％までの酸化防止剤、約１％〜約１０％までの殺生物剤、約５％〜約４０％の腐食防止剤、約１０％までのカップリング剤、約１０％までの消泡剤、約１０％までの水、および約９０％までの鉱油を含む、組成物。
【請求項５４】
請求項１に記載の組成物であって、前記脂肪酸メチルエステルが大豆メチルである、組成物。
【請求項５５】
請求項１に記載の組成物であって、作動強度ストレートオイル組成物であり、そして界面活性剤を含む、組成物。
【請求項５６】
金属表面を潤滑させるための金属作動流体であって、以下：
極性末端基および非極性炭化水素鎖（Ｃ５〜Ｃ２２）、ならびに約２００℃〜約３００℃の範囲の沸点を有する、ベース流体化合物、ならびに
極性非塩素系極圧添加剤、
を含み、
金属作動の間、ベース流体化合物は、沸点以下の温度で金属表面を潤滑し、そして沸点において金属表面から熱を除去し、極圧添加剤は、濃度を増加し、そして温度が該ベース流体の沸点を超えるときに該金属表面と化学的に反応し、該金属作動流体は、該ベース流体の沸点以下、沸点、および沸点以上の温度における故障を妨げるために、金属作動の間、金属表面を効果的に潤滑させる、金属作動流体。
【請求項５７】
請求項５６に記載の金属作動流体であって、該流体が、少なくとも約４０の四球負荷摩耗指数、少なくとも約４００ｋｇの四球焼付き点、および／または少なくとも約４０００ｌｂのＦａｌｅｘ失敗負荷を与える、金属作動流体。
【請求項５８】
請求項５６に記載の金属作動流体であって、該流体が、少なくとも約１００の負荷摩耗指数および少なくとも約５００ｋｇの焼付き点を与える、金属作動流体。
【請求項５９】
請求項５６に記載の金属作動流体であって、該流体が、四球試験における少なくとも約１３０の負荷摩耗指数、および四球試験における少なくとも約６２０ｋｇの焼付き点を与える、金属作動流体。
【請求項６０】
脂肪酸メチルエステルおよび非塩素極圧添加剤を含む金属作動流体であって、該組成物が、鉱油ベースの塩素化パラフィン金属作動流体に少なくとも等価な金属作動性能を有する、金属作動流体。